【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
支持体上に無色ないし淡色の電子供与性染料前駆体と、加熱後の冷却速度の違いにより該染料前駆体に可逆的な色調変化を生じせしめる可逆性顕色剤、及び消色促進剤とを含有する可逆性感熱記録材料において、該消色促進剤が下記一般式（１）で表される化合物であり、この化合物を少なくとも１種用いる事を特徴とする可逆性感熱記録材料。
【化１】
2005254669.tif 000001
（式１中、ｎは１〜２の整数を表す。Ｒ1は二価の炭化水素基を表す。Ｒ2は一価の炭化水素基を表す。Ｘ1はヘテロ原子を含む二価の連結基を表す。）
【請求項２】
前記一般式（１）で表される消色促進剤のＸ1がアミド（−ＣＯＮＨ−、−ＮＨＣＯ−）、尿素（−ＮＨＣＯＮＨ−）、ジアシルヒドラジン（−ＣＯＮＨＮＨＣＯ−）、シュウ酸ジアミド（−ＮＨＣＯＣＯＮＨ−）から選ばれる二価の基である事を特徴とする請求項１に記載の可逆性感熱記録材料。
【請求項３】
前記可逆性顕色剤が下記一般式（２）で表される化合物である事を特徴とする請求項１または２に記載の可逆性感熱記録材料。
【化２】
2005254669.tif 000002
（式２中、ｍは０〜２の整数を表す。Ｒ3は単結合、または二価の炭化水素基を表す。Ｒ4は二価の炭化水素基を表す。Ｒ5は一価の炭化水素基を表す。Ｘ2及びＸ3はヘテロ原子含む二価の連結基を表す。）
【請求項４】
前記一般式（２）で表される可逆性顕色剤のＲ5が末端二重結合を有する脂肪族炭化水素基である事を特徴とする請求項３に記載の可逆性感熱記録材料。
【手続補正２】
【補正対象書類名】明細書
【補正対象項目名】００１２
【補正方法】変更
【補正の内容】
【００１２】
即ち、上記課題に対して、「支持体上に無色ないし淡色の電子供与性染料前駆体と、加熱後の冷却速度の違いにより該染料前駆体に可逆的な色調変化を生じせしめる可逆性顕色剤、及び消色促進剤とを含有する可逆性感熱記録材料において、該消色促進剤が分子内の炭化水素基中に不飽和結合を少なくとも１つ持つ化合物である事を特徴とする可逆性感熱記録材料」によって達成される。
【手続補正３】
【補正対象書類名】明細書
【補正対象項目名】００１３
【補正方法】変更
【補正の内容】
【００１３】
また、上記課題に対して、「前記消色促進剤の不飽和結合が末端二重結合である事を特徴とする可逆性感熱記録材料」によって達成される。
【手続補正４】
【補正対象書類名】明細書
【補正対象項目名】００１４
【補正方法】変更
【補正の内容】
【００１４】
また、上記課題に対して、本発明の（１）「支持体上に無色ないし淡色の電子供与性染料前駆体と、加熱後の冷却速度の違いにより該染料前駆体に可逆的な色調変化を生じせしめる可逆性顕色剤、及び消色促進剤とを含有する可逆性感熱記録材料において、該消色促進剤が下記一般式（１）で表される化合物であり、この化合物を少なくとも１種用いる事を特徴とする可逆性感熱記録材料」によって達成される。
【手続補正５】
【補正対象書類名】明細書
【補正対象項目名】００１５
【補正方法】変更
【補正の内容】
【００１５】
【化１】
2005254669.tif 000003
式１中、ｎは１〜２の整数を表す。Ｒ1は二価の炭化水素基を表す。Ｒ2は一価の炭化水素基を表す。Ｘ1はヘテロ原子を含む二価の連結基を表す。
【手続補正６】
【補正対象書類名】明細書
【補正対象項目名】００１６
【補正方法】変更
【補正の内容】
【００１６】
また、上記課題に対して、本発明の（２）「前記一般式（１）で表される消色促進剤のＸ1がアミド（−ＣＯＮＨ−、−ＮＨＣＯ−）、尿素（−ＮＨＣＯＮＨ−）、ジアシルヒドラジン（−ＣＯＮＨＮＨＣＯ−）、シュウ酸ジアミド（−ＮＨＣＯＣＯＮＨ−）から選ばれる二価の基である事を特徴とする前記第（１）項に記載の可逆性感熱記録材料」によって達成される。
【手続補正７】
【補正対象書類名】明細書
【補正対象項目名】００１７
【補正方法】変更
【補正の内容】
【００１７】
また、上記課題に対して、本発明の（３）「前記可逆性顕色剤が下記一般式（２）で表される化合物である事を特徴とする前記第（１）項または第（２）項に記載の可逆性感熱記録材料」によって達成される。
【化２】
2005254669.tif 000004
式２中、ｍは０〜２の整数を表す。Ｒ3は単結合、または二価の炭化水素基を表す。Ｒ4は二価の炭化水素基を表す。Ｒ5は一価の炭化水素基を表す。Ｘ2及びＸ3はヘテロ原子を含む二価の連結基を表す。
【手続補正８】
【補正対象書類名】明細書
【補正対象項目名】００１８
【補正方法】変更
【補正の内容】
【００１８】
また、上記課題に対して、本発明の（４）「前記一般式（２）で表される可逆性顕色剤のＲ5が末端二重結合を有する脂肪族炭化水素基である事を特徴とする前記第（３）項に記載の可逆性感熱記録材料」によって達成される。
【手続補正９】
【補正対象書類名】明細書
【補正対象項目名】００２１
【補正方法】変更
【補正の内容】
【００２１】
【化３】
2005254669.tif 000005
式１中、ｎは１〜２の整数を表す。Ｒ1は二価の炭化水素基を表す。Ｒ2は一価の炭化水素基を表す。Ｘ1はヘテロ原子を含む二価の連結基を表す。
【手続補正１０】
【補正対象書類名】明細書
【補正対象項目名】００２２
【補正方法】変更
【補正の内容】
【００２２】
一般式（１）で表される化合物中、Ｒ1は好ましくは炭素数１から１８の二価の炭化水素基であるが、炭素数１から１２の二価の炭化水素基がより好ましい。Ｒ2は好ましくは炭素数１から２４の一価の炭化水素基であるが、炭素数６から２２の炭化水素基より好ましい。Ｒ1及びＲ2は、具体的には各々アルキレン基及びアルキル基であるが、それぞれその基中に芳香環を含んでいてもよいが、好ましくは脂肪族炭化水素基のみである。一方、Ｘ1はヘテロ原子を含む二価の連結基を表すが、酸素原子、硫黄原子、または−ＣＯＮＨ−を最小構成単位とする二価の連結基を表し、その具体例としては、アミド（−ＣＯＮＨ−、−ＮＨＣＯ−）、尿素（−ＮＨＣＯＮＨ−）、カルバミド酸エステル（−ＮＨＣＯＯ−、−ＯＣＯＮＨ−）、ジアシルアミン（−ＣＯＮＨＣＯ−）、ジアシルヒドラジン（−ＣＯＮＨＮＨＣＯ−）、シュウ酸ジアミド（−ＮＨＣＯＣＯＮＨ−）、アシル尿素（−ＣＯＮＨＣＯＮＨ−、−ＮＨＣＯＮＨＣＯ−）、３−アシルカルバジン酸エステル（−ＣＯＮＨＮＨＣＯＯ−）、セミカルバジド（−ＮＨＣＯＮＨＮＨ−、−ＮＨＮＨＣＯＮＨ−）、アシルセミカルバジド（−ＣＯＮＨＮＨＣＯＮＨ−、−ＮＨＣＯＮＨＮＨＣＯ−）、ジアシルアミノメタン（−ＣＯＮＨＣＨ2ＮＨＣＯ−）、１−アシルアミノ−１−ウレイドメタン（−ＣＯＮＨＣＨ2ＮＨＣＯＮＨ−、−ＮＨＣＯＮＨＣＨ2ＮＨＣＯ−）、マロンアミド（−ＮＨＣＯＣＨ2ＣＯＮＨ−）等の基が挙げられ、好ましくは、アミド（−ＣＯＮＨ−、−ＮＨＣＯ−）、尿素（−ＮＨＣＯＮＨ−）、ジアシルヒドラジン（−ＣＯＮＨＮＨＣＯ−）、シュウ酸ジアミド（−ＮＨＣＯＣＯＮＨ−）である。ｎは１〜２の整数を表すが、ｎが２のとき繰り返されるＲ1およびＸ1は、同一であっても異なっていてもよい。
【手続補正１１】
【補正対象書類名】明細書
【補正対象項目名】００２７
【補正方法】変更
【補正の内容】
【００２７】
一般式（２）で表される化合物中、Ｒ3は好ましくは単結合、炭素数１から１８の二価の炭化水素基であるが、炭素数１から１２の二価の炭化水素基がより好ましい。Ｒ4は好ましくは炭素数１から１８の二価の炭化水素基であるが、炭素数１から１２の二価の炭化水素基がより好ましい。Ｒ5は好ましくは炭素数１から２４の一価の炭化水素基であるが、炭素数６から２２の炭化水素基がより好ましい。Ｒ3、Ｒ4及びＲ5は、具体的には各々アルキレン基及びアルキル基であるが、それぞれその基中に芳香環を含んでいてもよいが、好ましくは脂肪族炭化水素基のみである。一方、Ｘ2及びＸ3はヘテロ原子を含む二価の連結基を表すが、酸素原子、硫黄原子、または−ＣＯＮＨ−を最小構成単位とする二価の連結基を表し、その具体例としては、アミド（−ＣＯＮＨ−、−ＮＨＣＯ−）、尿素（−ＮＨＣＯＮＨ−）、カルバミド酸エステル（−ＮＨＣＯＯ−、−ＯＣＯＮＨ−）、ジアシルアミン（−ＣＯＮＨＣＯ−）、ジアシルヒドラジン（−ＣＯＮＨＮＨＣＯ−）、シュウ酸ジアミド（−ＮＨＣＯＣＯＮＨ−）、アシル尿素（−ＣＯＮＨＣＯＮＨ−、−ＮＨＣＯＮＨＣＯ−）、３−アシルカルバジン酸エステル（−ＣＯＮＨＮＨＣＯＯ−）、セミカルバジド（−ＮＨＣＯＮＨＮＨ−、−ＮＨＮＨＣＯＮＨ−）、アシルセミカルバジド（−ＣＯＮＨＮＨＣＯＮＨ−、−ＮＨＣＯＮＨＮＨＣＯ−）、ジアシルアミノメタン（−ＣＯＮＨＣＨ2ＮＨＣＯ−）、１−アシルアミノ−１−ウレイドメタン（−ＣＯＮＨＣＨ2ＮＨＣＯＮＨ−、−ＮＨＣＯＮＨＣＨ2ＮＨＣＯ−）、マロンアミド（−ＮＨＣＯＣＨ2ＣＯＮＨ−）等の基が挙げられる。Ｘ2及びＸ3の好ましい例としては、酸素原子、硫黄原子、アミド（−ＣＯＮＨ−、−ＮＨＣＯ−）、尿素（−ＮＨＣＯＮＨ−）、ジアシルヒドラジン（−ＣＯＮＨＮＨＣＯ−）、シュウ酸ジアミド（−ＮＨＣＯＣＯＮＨ−）である。ｍは０〜２の整数を表すが、ｍが２のとき繰り返されるＲ4およびＸ3は、同一であっても異なっていてもよい。